(57)【要約】【課題】釣り用リールにおいて、釣り糸が勝手に繰り出されるのを防止する。【解決手段】バスボート等で釣り場を移動する際、釣り糸の繰り出しを禁止する方向にベールアーム４４の移動を規制するロック部材７０が装着される。具体的には、一端側の固定部７１を釣竿Ｒに巻き付けて固定し、他端側の係止部７２を閉じた状態である糸巻取姿勢のベールアーム４４のベール４３に係止することによって、ベール４３が開いて糸開放姿勢に揺動するのが規制される。【選択図】図２
2010252734.tif 000002
【特許請求の範囲】
【請求項１】
釣竿にリール本体が固定され釣り糸の繰り出しを許可・禁止する釣り用リールの移動部材の移動を規制する釣り用リールのロック機構であって、
一端側に設けられ前記釣竿又は前記リール本体に着脱可能に固定される固定部と、
他端側に設けられ前記移動部材に着脱自在に係止され、前記釣り糸の繰り出しを禁止する方向に前記移動部材の移動を規制する係止部と、
前記固定部と前記係止部との間に設けられ弾性力を有する弾性部と、
を備えた釣り用リールのロック機構。
【請求項２】
前記移動部材は、前記釣り糸を巻き取る糸案内姿勢とそれから反転した前記釣り糸を繰り出す糸開放姿勢との間で揺動自在であるスピニングリールのベールアームである、請求項１に記載の釣り用リールのロック機構。
【請求項３】
前記係止部は、前記ベールアームに引っ掛けて係止可能に鉤状に折れ曲がって形成されている、請求項２に記載の釣り用リールのロック機構。
【請求項４】
前記係止部は、前記弾性部の他端側に複数に形成されている、請求項２又は３に記載の釣り用リールのロック機構。
【請求項５】
前記固定部は、前記釣竿又は前記リール本体に巻き付けることによって着脱自在に固定可能に紐状に形成されている、請求項１から４のいずれか１項に記載の釣り用リールのロック機構。
【請求項６】
前記固定部は、面ファスナである、請求項５に記載の釣り用リールのロック機構。
【請求項７】
前記弾性部は、伸縮自在なカールコードである、請求項１から６のいずれか１項に記載の釣り用リールのロック機構。
【請求項８】
前記移動部材は、前記釣り糸が巻かれるスプールの前記釣り糸の繰り出し方向の回転を許可・禁止する両軸受リールのクラッチ操作部材である、請求項１に記載の釣り用リールのロック機構。
【請求項９】
前記固定部は、前記リール本体に固定され、
前記係止部は、前記クラッチ操作部材に係止され、
前記弾性部は、前記固定部及び前記係止部と一体成形された環状の弾性部材である、請求項８に記載の釣り用リールのロック機構。
【発明の詳細な説明】
【技術分野】
【０００１】
本発明は、釣り用リールのロック機構、特に、釣り糸の繰り出しを許可・禁止する釣り用リールの移動部材の移動を規制する釣り用リールのロック機構に関する。
【背景技術】
【０００２】
一般に、釣り用リールには、スピニングリールや、両軸受リール等がある。スピニングリールは、リール本体と、リール本体に回転自在に支持されたロータと、ロータの前方に配置されロータにより外周に釣り糸が巻き付けられるスプールとを有している。リール本体には、ロータを回転させるためのハンドルが設けられている。ロータは、円筒部と、円筒部の側方に互いに対向して設けられた第１ロータアーム及び第２ロータアームとを有している。第１ロータアーム及び第２ロータアームの先端部には、釣り糸をスプールに案内するために揺動自在なベールアームが設けられている。ベールアームは、釣り糸をスプールに巻き取る糸案内姿勢と、釣り糸を繰り出す糸開放姿勢との２姿勢に反転可能である（たとえば、特許文献１参照）。
【０００３】
また、両軸受リールは、リール本体と、リール本体の側方に配置されたスプール回転用ハンドルと、リール本体の内部に回転自在かつ着脱自在に装着された糸巻き用のスプールとを備えている。スプールの後方には、ハンドルの回転をスプールに伝達するのをオン、オフするクラッチレバーが配置されている（たとえば、特許文献２参照）。このようなクラッチレバーは、指で押圧するとクラッチオフ状態（スプールの釣り糸の繰り出し方向の回転を許可した状態）となり、この状態でハンドルを釣り糸巻き取り方向に回転させるとクラッチオン状態（スプールの釣り糸の繰り出し方向の回転を禁止した状態）に戻るようになっている。
【先行技術文献】
【特許文献】
【０００４】
【特許文献１】特開２００３−１８９７６７号公報
【特許文献２】特開２００１−１１２３８６号公報
【発明の概要】
【発明が解決しようとする課題】
【０００５】
前記従来のスピニングリールでは、バスボート等で釣り場を移動するとき、ベールアームを釣り糸巻き取り姿勢にしたリールをバスボートの船上に置くことがある。このように、ベールアームを釣り糸巻き取り姿勢にしたリールをバスボートの船上に置くと、バスボートの振動や揺れによって、ベールアームが糸開放姿勢に反転し、釣り糸が勝手に繰り出されるおそれが生じる。
【０００６】
また、従来の両軸受リールでは、バスボート等で釣り場を移動するとき、クラッチレバーをクラッチオン状態にしたリールを運搬することがある。このように、クラッチレバーをクラッチオン状態にしたリールをバスボートの船上に置くと、バスボートの振動や揺れによって、クラッチレバーが船体に接触してクラッチオフ状態になり、釣り糸が勝手に繰り出されるおそれが生じる。
【０００７】
本発明の課題は、釣り用リールにおいて、釣り糸が勝手に繰り出されるのを防止することにある。
【課題を解決するための手段】
【０００８】
発明１に係る釣り用リールのロック機構は、釣竿にリール本体が固定され釣り糸の繰り出しを許可・禁止する釣り用リールの移動部材の移動を規制する釣り用リールのロック機構であって、固定部と、係止部と、弾性部とを備えている。固定部は、一端側に設けられ、釣竿又はリール本体に着脱可能に固定される部分である。係止部は、他端側に設けられ、移動部材に着脱自在に係止され、釣り糸の繰り出しを禁止する方向に移動部材の移動を規制する部分である。弾性部は、固定部と係止部との間に設けられ弾性力を有する部分である。
【０００９】
このロック機構は、一端側の固定部を釣竿又はリール本体に装着し、他端側の係止部を移動部材に係止することによって、弾性部の弾性力によって釣り糸の繰り出しを禁止する方向に移動部材の移動を規制するようになっている。具体的には、スピニングリールの場合、移動部材は、釣り糸を巻き取る糸案内姿勢とそれから反転した釣り糸を繰り出す糸開放姿勢との間で揺動自在なベールアームであって、ロック機構は、ベールアームが釣り糸の繰り出し方向である糸開放姿勢方向に揺動するのを規制している。また、両軸受リールの場合、移動部材は、スプールの釣り糸の繰り出し方向の回転を許可・禁止する両軸受リールのクラッチレバーであって、ロック機構は、クラッチレバーが釣り糸の繰り出し方向であるクラッチオフ状態（スプールの釣り糸の繰り出し方向の回転を許可した状態）に移動するのを規制している。ここでは、ロック機構によって、釣り糸の繰り出しを禁止する方向に移動部材の移動を規制するようになっているので、釣り糸が勝手に繰り出されるのを防止することができる。
【００１０】
また、このロック機構は、固定部と係止部との間に弾性力を有する弾性部を備えているので、弾性部に過度の荷重がかかった場合には、移動部材の移動が許容されるが、荷重によって移動部材又は係止部が破壊されることがなくなる。
【００１１】
さらに、たとえばリールそのものにロック機構を設けることも考えられるが、この場合は、リールにロック機構を収納するための収納スペースを設ける必要がある。本件の構成では、ロック機構がリールと別体で設けられているので、リールにロック機構の収納スペースが不要になり、前述の場合に比してリールを小型化することができる。
【００１２】
発明２に係るロック機構は、発明１のロック機構において、移動部材は、釣り糸を巻き取る糸案内姿勢とそれから反転した釣り糸を繰り出す糸開放姿勢との間で揺動自在であるスピニングリールのベールアームである。この場合、移動部材は、釣り糸を巻き取る糸案内姿勢とそれから反転した釣り糸を繰り出す糸開放姿勢との間で揺動自在なベールアームであって、ロック機構は、ベールアームが釣り糸の繰り出し方向である糸開放姿勢方向に揺動するのを規制している。ここでは、バスボート等で釣り場を移動するとき、ベールアームを釣り糸巻き取り姿勢にしたリールをバスボートの船上に置いた場合でも、ロック機構によって、釣り糸の繰り出しを禁止する方向に移動部材の移動を規制するようになっているので、釣り糸が勝手に繰り出されるのを防止することができる。
【００１３】
発明３に係るロック機構は、発明２のロック機構において、係止部は、ベールアームに引っ掛けて係止可能に鉤状に折れ曲がって形成されている。この場合、係止部は鉤状に折れ曲がって形成されているので、係止部の係脱を容易に行うことができる。
【００１４】
発明４に係るロック機構は、発明２又は３のロック機構において、係止部は、弾性部の他端側に複数に形成されている。この場合、係止部は複数設けられているので、特に、針金状の細い係止部の場合には、係止部を１つ設ける場合に比して、係止部の係止が確実になる。
【００１５】
発明５に係るロック機構は、発明１から４のいずれかのロック機構において、固定部は、釣竿又はリール本体に巻き付けることによって着脱自在に固定可能に紐状に形成されている。この場合、固定部は紐状に形成されているので、紐状の固定部を釣竿又はリール本体に結びつけることによって、固定部の着脱が容易になる。
【００１６】
発明６に係るロック機構は、発明５のロック機構において、固定部は、面ファスナである。この場合、固定部は面ファスナであるので、固定部の着脱がさらに容易になる。
【００１７】
発明７に係るロック機構は、発明１から６のいずれかのロック機構において、弾性部は、伸縮自在なカールコードである。この場合、弾性部はカールコードであるので、適切な弾性力を得ることができる。
【００１８】
発明８に係るロック機構は、発明１のロック機構において、移動部材は、釣り糸が巻かれるスプールの釣り糸の繰り出し方向の回転を許可・禁止する両軸受リールのクラッチ操作部材である。この場合、移動部材は、スプールの釣り糸の繰り出し方向の回転を許可・禁止する両軸受リールのクラッチレバーであって、ロック機構は、クラッチレバーが釣り糸の繰り出し方向であるクラッチオフ状態（スプールの釣り糸の繰り出し方向の回転を許可した状態）に移動するのを規制している。ここでは、バスボート等で釣り場を移動するとき、クラッチレバーをクラッチオン状態にしたリールを運搬する場合でも、ロック機構によって、釣り糸の繰り出しを禁止する方向に移動部材の移動を規制するようになっているので、釣り糸が勝手に繰り出されるのを防止することができる。
【００１９】
発明９に係るロック機構は、発明８のロック機構において、固定部は、リール本体に固定される部分である。係止部は、クラッチ操作部材に係止される部分である。弾性部は、固定部及び係止部と一体成形された環状の弾性部材である。この場合、弾性部は、固定部及び係止部と一体成形された環状の弾性部材であるので、ロック機構の構成が簡素になるとともに、ロック機構を安価に形成できる。
【発明の効果】
【００２０】
本発明によれば、釣り用リールにおいて、ロック機構は、一端側の固定部を釣竿又はリール本体に装着し、他端側の係止部を移動部材に係止することによって、弾性部の弾性力によって釣り糸の繰り出しを禁止する方向に移動部材の移動を規制するようになっているので、釣り糸が勝手に繰り出されるのを防止できる。
【図面の簡単な説明】
【００２１】
【図１】本発明の一実施形態によるスピニングリールの側面図。
【図２】前記スピニングリールの拡大側面図。
【図３】ロック部材の拡大平面図。
【図４】前記ロック部材の拡大側面図。
【図５】前記ロック部材の拡大斜視図。
【図６】他の実施形態の図２に相当する図。
【図７】本発明の他の実施形態による両軸受リールの平面図。
【図８】前記両軸受リールの一部断面側面図。
【図９】他の実施形態の図５に相当する図。
【図１０】他の実施形態の図５に相当する図。
【図１１】他の実施形態の図５に相当する図。
【発明を実施するための形態】
【００２２】
本発明の一実施形態によるスピニングリールは、図１及び図２に示すように、釣竿Ｒの長手方向に沿う軸回りに釣り糸を巻き取るリールであって、ハンドル１を備えたリール本体２と、リール本体２の前部に回転自在に支持されたロータ３と、ロータ３の前部に配置された釣り糸を巻き取るスプール４とを備えている。
【００２３】
リール本体２は、図１及び図２に示すように、たとえば合成樹脂製であり、釣竿Ｒに装着される前後に長い取付部２ｃと、取付部２ｃと間隔を隔てて配置され内部に機構収納空間を有するリールボディ２ａと、取付部２ｃとリールボディ２ａとを連結する脚部２ｂとを有している。
【００２４】
ロータ３は、図２に示すように、リールボディ２ａにスプール４の回転軸回りに回転自在に装着された円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。第１ロータアーム３１の先端の外周側には、第１ベール支持部材４０が揺動自在に装着され、第２ロータアーム３２の先端内周側には、第２ベール支持部材４２が揺動自在に装着されている。
【００２５】
第１ベール支持部材４０の先端には、図２に示すように、釣り糸をスプール４に案内するためのラインローラ４１と、ラインローラ４１を挟んで第１ベール支持部材４０に固定された固定軸カバー４５とが装着されている。ラインローラ４１は、第１ベール支持部材４０の先端に回転自在に装着されている。固定軸カバー４５は、先端が尖った変形円錐形状である。固定軸カバー４５の先端部と第２ベール支持部材４２との間には線材を略Ｕ状に湾曲させた形状のベール４３が固定されている。これらの第１ベール支持部材４０、第２ベール支持部材４２、ラインローラ４１、ベール４３及び固定軸カバー４５により、釣り糸をスプール４に案内するベールアーム４４が構成される。ベールアーム４４は、ベール４３が閉じて釣り糸をスプール４に巻き取る糸巻取姿勢と、糸巻取姿勢から反転しベール４３が開いて釣り糸を前方に繰り出す糸開放姿勢との間で揺動自在である。
【００２６】
このようなスピニングリールでは、バスボート等で釣り場を移動するとき、ベールアーム４４を釣り糸巻き取り姿勢にしたリールをバスボートの船上に置くことがあるが、この際、図１及び図２に示すように、釣り糸の繰り出しを禁止する方向にベールアーム４４の揺動を規制するロック部材７０が装着される。
【００２７】
ロック部材７０は、図２及び図３に示すように、一端側が釣竿Ｒに固定され、他端側がベールアーム４４のベール４３を係止する弾性力を有する部材であって、ベールアーム４４のベール４３が開いて糸開放姿勢に揺動するのを規制するための部材である。
【００２８】
ロック部材７０は、図３から図５に拡大して示すように、固定部７１と、係止部７２と、弾性部７３とを備えている。固定部７１は、一端側に設けられ、釣竿Ｒに着脱可能に固定される部分である。係止部７２は、固定部７１と逆側の他端側に設けられ、閉じた状態である糸巻取姿勢のベールアーム４４のベール４３に着脱自在に係止され、釣り糸の繰り出しを禁止する方向にベール４３の揺動を規制する部分である。弾性部７３は、固定部７１と係止部７２との間に設けられ、固定部７１と係止部７２とを連結するための弾性力を有する部分である。
【００２９】
係止部７２は、図３から図５に示すように、針金状の細い線材からなる部材であって、ベールアーム４４のベール４３に引っ掛けて係止可能に鉤状に折れ曲がって形成されている。係止部７２は、弾性部７３の他端側に形成され、針金状の１つの線材が２つの線材に分岐した２つの第１係止部７２ａ及び第２係止部７２ｂを有している。第１係止部７２ａ及び第２係止部７２ｂは、それぞれが鉤状に折れ曲がって形成されており、分岐前の１つの線材に沿った中心線に対して互いに対称となるような形状に形成されている。第１係止部７２ａ及び第２係止部７２ｂは、ベール４３の直径より大きな隙間が生成されるように略コ字状に折れ曲がって形成されており、このため、ベール４３に引っ掛けて係止可能である。
【００３０】
なお、図１及び図２では、説明を容易にするために、ベールアーム４４のベール４３の中間部に係止部７２を係止し、ベール４３の中間部が側面に位置するように図示していたが、係止部７２のベール４３係止位置や、ベール４３中間部の停止位置はこれに限定されるものではなく、たとえばベール４３のラインローラ４１近傍に係止部７２を係止させてもよいし、また、ベール４３の中間部が釣竿Ｒに近接する位置で停止した状態で、ベール４３の中間部に係止部７２を係止させてもよい。
【００３１】
固定部７１は、図３から図５に示すように、釣竿Ｒに着脱可能に固定されている。固定部７１は、紐状に形成された面ファスナであって、両端部の表裏にそれぞれ第１固定部７１ａ及び第２固定部７１ｂを有している。固定部７１は、図５に示すように、釣竿Ｒに巻き付けるように環状に折り曲げることによって、表側の第１固定部７１ａと裏側の第２固定部７１ｂとを接合可能であり、これによって、釣竿Ｒに巻き付けるように装着可能である。
【００３２】
弾性部７３は、図３から図５に示すように、固定部７１と係止部７２とを連結するための弾性力を有する伸縮自在なカールコードである。弾性部７３は、固定部７１と係止部７２との間の長さが、釣竿Ｒと閉じた状態である糸巻取姿勢のベールアーム４４のベール４３との間の最短距離と略同一又はやや短くなるように形成されている。このため、固定部７１を釣竿Ｒに固定し、係止部７２をベールアーム４４のベール４３に係止すると、弾性部７３が伸びることによって係止部７２を釣竿Ｒ方向に引っ張る弾性力が生じる。ここでは、係止部７２が釣竿Ｒ方向に引っ張られるので、係止部７２が閉じた状態である糸巻取姿勢のベールアーム４４のベール４３対して確実に係止される。ここでは、ベール４３が開いて糸開放姿勢に揺動するのが規制されるので、釣り糸の繰り出しが禁止される。
【００３３】
このようなスピニングリールでは、バスボート等で釣り場を移動する際、釣り糸の繰り出しを禁止する方向にベールアーム４４の移動を規制するロック部材７０が装着される。具体的には、一端側の固定部７１を釣竿Ｒに巻き付けて固定し、他端側の係止部７２を閉じた状態である糸巻取姿勢のベールアーム４４のベール４３に係止することによって、ベール４３が開いて糸開放姿勢に揺動するのが規制される。ここでは、バスボート等で釣り場を移動するとき、ベールアーム４４のベール４３を釣り糸巻き取り姿勢にしたリールをバスボートの船上に置いた場合でも、ロック部材７０によって、釣り糸の繰り出しを禁止する方向にベールアーム４４のベール４３の揺動を規制するようになっているので、釣り糸が勝手に繰り出されるのを防止することができる。
【００３４】
〔他の実施形態〕
（ａ）  前記実施形態では、スピニングリールを例にあげて説明したが、これに限定されるものではなく、両軸受リールにも本発明を適用できる。
【００３５】
本発明の他の実施形態による両軸受リールは、図７から図９に示すように、ロープロフィール型のリールである。両軸受リールは、リール本体１０１と、リール本体１０１の側方（たとえば左方）に配置されたスプール回転用ハンドル１０２と、リール本体１０１の内部に回転自在かつ着脱自在に装着された糸巻用のスプール１１２とを備えている。ハンドル１０２のリール本体１０１側には、ドラグ調整用のドラグ調整部材１０３が設けられている。
【００３６】
リール本体１０１は、図７及び図８に示すように、フレーム１０５と、フレーム１０５の両側方に装着されフレーム１０５の両側方を覆う第１側カバー１０６ａ及び第２側カバー１０６ｂとを有している。第１側カバー１０６ａはハンドル１０２と逆側に配置され、第２側カバー１０６ｂはハンドル１０２の装着側に配置されている。
【００３７】
フレーム１０５は、図７及び図８に示すように、たとえばガラス繊維で補強されたポリアミド樹脂等の合成樹脂製であり、所定の間隔をあけて互いに対向するように配置された１対の第１側板１０５ａ及び第２側板１０５ｂと、これらの第１側板１０５ａ及び第２側板１０５ｂを連結する複数の連結部１０５ｃとを有している。下側の２つの連結部１０５ｃには、リールを釣竿に装着するための前後に長い装着脚部１０４が一体形成されている。また、後側の連結部１０５ｃには、スプール１１２の釣り糸の繰り出し方向の回転を許可・禁止するクラッチレバー１１７が上下方向に移動可能に装着されている。
【００３８】
第１側カバー１０６ａは、図７及び図８に示すように、ＡＢＳ樹脂やポリアミド樹脂等の合成樹脂製の部材であり、フレーム１０５の第１側板１０５ａに対して着脱自在である。第２側カバー１０６ｂは、ＡＢＳ樹脂やポリアミド樹脂等の合成樹脂製の部材であり、フレーム１０５の第２側板１０５ｂにねじ止め固定されている。
【００３９】
クラッチレバー１１７は、図７及び図８に示すように、１対の第１側板１０５ａ及び第２側板１０５ｂ間の後部でスプール１１２の後方に配置されている。フレーム１５の第１側板１０５ａ及び第２側板１０５ｂには図示しない長孔が形成されており、クラッチレバー１１７の図示しない回転軸がこの長孔に回転自在に支持されている。このため、クラッチレバー１１７は長孔に沿って上下方向にスライドすることが可能である。ここでは、クラッチレバー１１７を指で下方向に押圧するとクラッチオフ状態（スプール１１２の釣り糸の繰り出し方向の回転を許可した状態）となり、この状態でハンドル１０２を釣り糸巻き取り方向に回転させるとクラッチオン状態（スプール１１２の釣り糸の繰り出し方向の回転を禁止した状態）にクラッチレバー１１７が上方向にスライドして戻るようになっている。
【００４０】
このような両軸受リールでは、バスボート等で釣り場を移動するとき、クラッチレバー１１７を上方向にスライドさせたクラッチオン状態にしたリールを運搬することがあるが、この際、図７及び図８に示すように、釣り糸の繰り出しを禁止する方向にクラッチレバー１１７の下方向へのスライドを規制するロック部材１７０が装着される。
【００４１】
ロック部材１７０は、図７から図９に示すように、クラッチレバー１１７が釣り糸の繰り出し方向であるクラッチオフ状態（スプールの釣り糸の繰り出し方向の回転を許可した状態）に移動（下方向にスライド）するのを規制している。
【００４２】
ロック部材１７０は、図７から図９に示すように、固定部１７１と、係止部１７２と、弾性部１７３とを備えている。固定部１７１は、一端側に設けられ、フレーム１０５の前端部に引っ掛けることによって着脱可能に固定される部分である。係止部１７２は、固定部１７１と逆側の他端側に設けられ、上方向にスライドした状態であるクラッチオン状態（スプール１１２の釣り糸の繰り出し方向の回転を禁止した状態）のクラッチレバー１１７の下部に引っ掛けることによって着脱自在に係止され、クラッチレバー１１７が下方向にスライドするのを規制する部分である。弾性部１７３は、固定部１７１と係止部１７２との間に設けられ、固定部１７１と係止部１７２とを連結するための弾性力を有する部分である。弾性部１７３は、図９に示すように、固定部１７１及び係止部１７２と一体成形された環状の弾性部材であって、固定部１７１、弾性部１７３及び係止部１７２全体で１つの環状部材となる合成ゴム製のバンドである。ここで、固定部１７１、弾性部１７３及び係止部１７２全体で生成される１つの環状部材は、固定部１７１をフレーム１０５の前端部に固定し、係止部１７２をクラッチレバー１１７の下部に係止したとき、クラッチレバー１１７を上方向に引っ張る弾性力が生じる。ここでは、クラッチレバー１１７が上方向に引っ張られるので、クラッチレバー１１７はクラッチオン状態（スプール１１２の釣り糸の繰り出し方向の回転を禁止した状態）に維持される。ここでは、クラッチレバー１１７はクラッチオン状態（スプール１１２の釣り糸の繰り出し方向の回転を禁止した状態）に維持されるので、釣り糸の繰り出しが禁止される。
【００４３】
この両軸受リールでは、バスボート等で釣り場を移動する際、釣り糸の繰り出しを禁止する方向にクラッチレバー１１７の下方向へのスライドを規制するロック部材１７０が装着される。具体的には、一端側の固定部１７１をフレーム１０５の前端部に引っ掛けて固定し、他端側の係止部１７２を上方向にスライドした状態であるクラッチオン状態（スプール１１２の釣り糸の繰り出し方向の回転を禁止した状態）のクラッチレバー１１７の下部に引っ掛けて係止することによって、クラッチレバー１１７が釣り糸の繰り出し方向であるクラッチオフ状態（スプールの釣り糸の繰り出し方向の回転を許可した状態）に移動（下方向にスライド）するのを規制している。ここでは、バスボート等で釣り場を移動するとき、クラッチレバー１１７をクラッチオン状態にしたリールを運搬する場合でも、ロック部材１７０によって、釣り糸の繰り出しを禁止する方向にクラッチレバー１１７の移動を規制するようになっているので、釣り糸が勝手に繰り出されるのを防止することができる。
【００４４】
（ｂ）  前記実施形態では、固定部７１は、釣竿Ｒに着脱可能に固定されていたが、図６に示すように、リール本体２の脚部２ｂに着脱可能に固定してもよい。
【００４５】
（ｃ）  前記実施形態では、係止部７２は、２つの第１係止部７２ａ及び第２係止部７２ｂを有していたが、図１０に示すように、１つの第１係止部７２ａのみを有していてもよい。
【００４６】
（ｄ）  前記実施形態では、係止部７２は、金属製の線材部材からなる第１係止部７２ａ及び第２係止部７２ｂが外部に露出していたが、図１１に示すように、第１係止部７２ａ及び第２係止部７２ｂの周囲にゴムチユーブからなるカバー部材７２ｃを装着してもよい。
【符号の説明】
【００４７】
１  ハンドル
２  リール本体
２ａ  リールボディ
２ｂ  脚部
２ｃ  取付部
３  ロータ
４  スプール
３０  円筒部
３１  第１ロータアーム
３２  第２ロータアーム
４０  第１ベール支持部材
４１  ラインローラ
４２  第２ベール支持部材
４３  ベール
４４  ベールアーム
４５  固定軸カバー
７０  ロック部材
７１  固定部
７１ａ  第１固定部
７１ｂ  第２固定部
７２  係止部
７２ａ  第１係止部
７２ｂ  第２係止部
７２ｃ  カバー部材
７３  弾性部
１０１  リール本体
１０２  ハンドル
１０３  ドラグ調整部材
１０４  装着脚部
１０５  フレーム
１０５ａ  第１側板
１０５ｂ  第２側板
１０６ａ  第１側カバー
１０６ｂ  第２側カバー
１１２  スプール
１１７  クラッチレバー
１７０  ロック部材
１７１  固定部
１７２  係止部
１７３  弾性部
【図１】
2010252734.tif 000003
【図２】
2010252734.tif 000004
【図３】
2010252734.tif 000005
【図４】
2010252734.tif 000006
【図５】
2010252734.tif 000007
【図６】
2010252734.tif 000008
【図７】
2010252734.tif 000009
【図８】
2010252734.tif 000010
【図９】
2010252734.tif 000011
【図１０】
2010252734.tif 000012
【図１１】
2010252734.tif 000013